(57)【特許請求の範囲】
【請求項１】
駆動ローラと、この駆動ローラに圧接部が弾性的に圧接する圧接ローラとを備え、これら両ローラの間にシート状の感光材料を挟み込んで駆動ローラの回転駆動によって感光材料を搬送するとともに、前記圧接ローラは、前記駆動ローラに圧接する位置と、駆動ローラから離間する位置とに位置変更可能で、前記感光材料の先端が圧接ローラと駆動ローラとの間に達するまで駆動ローラから離間状態になっていて、感光材料の先端が圧接ローラと駆動ローラとの間に達すると、駆動ローラ方向に移動して感光材料を駆動ローラとの間に挟み込む圧接状態となるようにした写真処理機における露光部の感光材料搬送装置において、
前記圧接部が、連続気泡弾性発泡体で形成されていることを特徴とする写真処理機の感光材料搬送装置。
【請求項２】
連続気泡弾性発泡体がＪＩＳ硬度３５〜４５°のウレタン樹脂系ゴムからなる請求項１に記載の写真処理機における露光部の感光材料搬送装置。
【発明の詳細な説明】
【０００１】
【発明の属する技術分野】
本発明は、写真処理機における露光部の感光材料搬送装置に関する。
【０００２】
【従来の技術】
ＰＬＺＴヘッド等を露光装置として備えたライン露光式のデジタル写真処理機では、感光材料である印画紙を駆動ローラと圧接ローラとの間に挟み込み駆動ローラの駆動力で連続的に搬送しながら、印画紙に露光して画像を焼き付けるようになっている。
また、露光途中に印画紙先端が次のローラー等に当たると、その露光搬送ムラによって出来上がったプリントにバンディング（すじムラ）が発生するため、駆動ローラに圧接する位置と駆動ローラから離間する位置とに位置変更可能にされている。
【０００３】
従来から使用されている圧接ローラを位置変更可能にする機構としては、たとえば、図４に示すような機構が用いられている。
すなわち、この機構は、図４に示すように、作動アームＤの長さ方向一端部を支持軸Ｅに枢着するとともに、この作動アームＤの長さ方向他端部に前記圧接ローラーＣを回転自由に支持して、駆動手段Ｌより支持軸Ｅを中心に作動アームＤを回動させることによって圧接ローラーＣを、駆動ローラーＡに圧接する位置と駆動ローラーＡから離間する位置とに位置変更可能としている。
【０００４】
また、作動アームＤの中間位置は、ばねＢで駆動ローラＡ方向に常に付勢されていて、圧接ローラＣがばねＢの付勢力で圧接位置で常に駆動ローラＡへの圧接状態を確保できるようになっている。
なお、駆動手段Ｌは、モーターＦの駆動軸Ｆ１にクランクアームＧを組み付ける一方、連結リンクＩの長方向一端部を枢軸Ｊを介して作動アームＤの長さ方向中間部に枢着し、駆動軸Ｆ１の回転により連結リンクＩを介して作動アームＤを回動させるようになっているとともに、この連結リンクＩの長さ方向他端部に長孔Ｋを設けて、この長孔Ｋ内に、クランクアームＧの遊端部に突設したクランクピンＨを介在させ、クランクピンＨとの間に生じる長孔Ｋの隙間により、圧接ローラーＣを駆動ローラーＡに確実に圧接させるようにしている。
【０００５】
しかし、従来の圧接ローラＣは、ゴム材料または弾性独立気泡発泡体で形成されていたが、圧接時の駆動ローラＡとの衝突時の衝撃を充分に吸収しきれず、どうしても印画紙に伝わり、バンディングが発生してしまう恐れがある。また、圧接ローラＣの圧接時の印画紙の保持幅が狭いため、長尺印画紙に露光を行う場合には露光途中に長尺印画紙の後端が暴れて、その振動が露光面に伝わりバンディングが発生する恐れもあった。
そこで、作動アームＤに衝撃吸収ダンパーを設けるなどの機械的工夫を施すことにより、この衝撃を減少させる方法が考えられるが、振動の発生を確実に抑制することが困難であるばかりか、部品点数の増大および機構の複雑化を招いて製造コストが高くなる等の問題があるとともに、長尺印画紙の後端の暴れの問題も解消することができない。
【０００６】
【発明が解決しようとする課題】
本発明は、このような事情に鑑みて、部品点数を増大させたりすることなく、バンディングを解消することができる写真処理機の感光材料搬送装置を提供することを目的としている。
【０００７】
【課題を解決するための手段】
駆動ローラと、この駆動ローラに圧接部が弾性的に圧接する圧接ローラとを備え、これら両ローラの間にシート状の感光材料を挟み込んで駆動ローラの回転駆動によって感光材料を搬送するとともに、圧接ローラは、駆動ローラに圧接する位置と、駆動ローラから離間する位置とに位置変更可能で、感光材料の先端が圧接ローラと駆動ローラとの間に達するまで駆動ローラから離間状態になっていて、感光材料の先端が圧接ローラと駆動ローラとの間に達すると、駆動ローラ方向に移動して感光材料を駆動ローラとの間に挟み込む圧接状態となるようにした写真処理機における露光部の感光材料搬送装置において、前記圧接部を連続気泡弾性発泡体で形成するようにした。
【０００８】
また、連続気泡弾性発泡体としては、駆動ローラとの衝突時の衝撃を吸収できるとともに、圧接時の圧着ローラによる印画紙の保持幅を充分に確保できれば、特に限定されないが、請求項２のように、ＪＩＳ硬度３５〜４５°のウレタン樹脂系ゴム発泡体を用いることが好ましく、ＪＩＳ硬度４０°のものが最も好ましい。
【０００９】
【発明の実施の形態】
以下に、本発明の実施の形態を、図面を参照しつつ詳しく説明する。
図１は、写真処理機の構成図であって、この写真処理機１は、給紙部２と、露光部３と、印字部４と、現像部（図示せず）とを備えている。
【００１０】
給紙部２は、２つのペーパーマガジン２１と、このペーパーマガジン２１に収容されたロールから送り出されてくる長尺の印画紙Ｐ１を所定の大きさにカットするカッター２２と、このカッター２２でカットした印画紙Ｐ２を露光部３に受け渡すためのペーパー受け渡し部２３とを備えている。
ペーパー受け渡し部２３は、カットされた印画紙Ｐ２を挟持して露光部３まで搬送する搬送装置としてのチャッカー２４が設けられており、このチャッカー２４が搬送経路２５を往復動するようになっている。
【００１１】
露光部３は、図１および図２に示すように、光源３１と、この光源３１と光ファイバー束（図示せず）を介して接続されて印画紙Ｐ２の移送方向と直交する方向に設けたライン状のＰＬＺＴヘッド３２と、光源３１とＰＬＺＴヘッド３２との間の光路に配設される光質変調フィルター（図示せず）と、ＰＬＺＴヘッド３２の前後に設けられた駆動ローラ５ａ，５ｂおよび圧接ローラ６ａ，６ｂとを備え、ＰＬＺＴヘッド３２に、光質変調フィルターを透過した光源４１からの光が送られて、このＰＬＺＴヘッド３２に対して印画紙Ｐを、駆動ローラ５ａと圧接ローラ６ａまたは駆動ローラ５ｂと圧接ローラ６ｂによって１ドット列ずつ移送させることにより、移送中の印画紙Ｐをライン露光させるようになっている。
【００１２】
詳細に説明すると、駆動ローラ５ａ，５ｂは、印画紙Ｐ２の裏面側に接するようになっていて、それぞれ駆動モータ（図示せず）を介して印画紙Ｐ２を１ドット列ずつ移送させる回転速度で回転駆動するようになっている。
圧接ローラ６ａ，６ｂは、いずれも、図４に示す従来の圧接ローラＣと同様に、印画紙Ｐの先端が圧接ローラ６ａ（６ｂ）と駆動ローラ５ａ（５ｂ）との間に達するまで印画紙Ｐの厚みより少し広い隙間を設けた離間状態になっていて、印画紙Ｐの先端が圧接ローラ６ａ（６ｂ）と駆動ローラ５ａ（５ｂ）との間に達したことをセンサー（図示せず）が検知すると、圧接ローラ６ａ（６ｂ）が駆動ローラ５ａ（５ｂ）方向に移動して印画紙Ｐを駆動ローラ５ａ（５ｂ）との間に挟み込む圧接状態になり、駆動ローラ５ａ（５ｂ）の回転駆動力を印画紙Ｐ２に確実に伝達させるようになっている。
【００１３】
また、圧接ローラ６ａ，６ｂは、いずれも、圧接時には、従来の圧接ローラＣと同様にばね付勢力で駆動ローラ５ａ，５ｂ方向に付勢され、常に圧接状態が得られるようになっているとともに、圧接ローラ６ｂが圧接状態になると同時に圧接ローラ６ａが離間状態に戻り、センサが露光が完了した印画紙Ｐ３の後端が圧接ローラ６ｂと駆動ローラ５ｂとの間を通過したことを検知すると、圧接ローラ６ｂも離間状態に戻るようになっている。
さらに、両圧接ローラ６ａ，６ｂは、図３に示すように、金属製の芯材６１に、からなる４つの筒状をした圧接部となるＪＩＳ硬度４０°（ＪＩＳ  Ｋ  ６３０１  Ｃ形の硬度計測方法で測定）のウレタン樹脂連続気泡弾性発泡体（たとえば、トーヨーポリマー社製商品名ルビセル）６２が外嵌されて接着剤を介して固定されて形成されている。
【００１４】
印字部４は、ライン露光された印画紙Ｐの裏面に必要なデータを印字するための印字装置４１と、この印字装置４１へ露光部３でのライン露光によって感光した印画紙Ｐ３を搬送する入口側搬送部４２と、印字装置４１で印字済みの印画紙Ｐ４を現像部へ搬送する出口側搬送部４３とを備えている。
【００１５】
現像部は、出口側搬送部４３を介して搬送されてきた感光および印字済の印画紙Ｐ４を従来の写真処理機と同様の方法により現像処理するようになっている。なお、図２中、３４は印画紙Ｐ２のばたつきを防止するガイドである。
【００１６】
この写真処理機１は、以上のように、露光部３の圧接ローラ６ａ，６ｂがいずれも、印画紙Ｐの先端が圧接ローラ６ａ（６ｂ）と駆動ローラ５ａ（５ｂ）との間に達するまで印画紙Ｐの厚みより少し広い隙間を設けた離間状態になっていて、印画紙Ｐ２の先端が圧接ローラ６ａ（６ｂ）と駆動ローラ５ａ（５ｂ）との間に達したことをセンサー（図示せず）が検知すると、圧接ローラ６ａ（６ｂ）が駆動ローラ５ａ（５ｂ）方向に移動して印画紙Ｐ２を駆動ローラ５ａ（５ｂ）との間に挟み込む圧接状態になるようになっているので、印画紙の先端がローラに衝突することがない。
【００１７】
また、圧接ローラ６ａ（６ｂ）の圧接用弾接部材が連続気泡弾性発泡体で形成されているので、圧接ローラ６ａ（６ｂ）が離間状態から圧接状態に移る際の駆動ローラ５ａ（５ｂ）との衝突時に圧接ローラ６ａ（６ｂ）の表面が衝撃をうまく吸収しつつ駆動ローラ５ａ（５ｂ）の表面形状に沿うように変形する。
したがって、圧接ローラ６ａ（６ｂ）と駆動ローラ５ａ（５ｂ）との衝突時の衝撃が印画紙Ｐ２に伝わらず、圧接ローラ６ａ（６ｂ）と駆動ローラ５ａ（５ｂ）との衝突が原因のバンディングを確実に防止することができる。
【００１８】
さらに、圧接状態では、圧接ローラ６ａ（６ｂ）が常に駆動ローラ５ａ（５ｂ）方向にばね付勢されているので、圧接ローラ６ａ（６ｂ）の変形状態が保たれ、圧接ローラ６ａ（６ｂ）と駆動ローラ５ａ（５ｂ）とによる印画紙の搬送方向の保持幅を大きくとることができ、長尺の印画紙に露光を行う場合であっても印画紙の後端側の暴れを抑えることができる。
【００１９】
本発明は、上記の実施の形態に限定されない。たとえば、上記の写真処理機１ではＰＬＺＴヘッド３２の前後の圧接ローラ６ａ，  ６ａの圧接用弾接部材が連続気泡弾性発泡体で形成されていたが、ＰＬＺＴヘッド３２の後方の圧接ローラ６ａのみ圧接用弾接部材が連続気泡弾性発泡体で形成し、前方の圧接ローラ６ａを従来のゴム材料等で形成するようにしても構わない。
また、上記の写真処理機１では、センサで印画紙Ｐ２の先端が圧接ローラ６ａ（６ｂ）と駆動ローラ５ａ（５ｂ）との間に達したことを検知すると、圧接ローラ６ａ（６ｂ）を離間状態から圧接状態に移動させるようになっているが、チャッカー２４の搬送経路２５中にセンサを設け、チャッカー２４の搬送速度から印画紙Ｐ２の先端が圧接ローラ６ａ（６ｂ）と駆動ローラ５ａ（５ｂ）との間に達する時間を検出し、その時間が経過すると圧接ローラ６ａ（６ｂ）を離間状態から圧接状態に移動させるようにしても構わない。圧接ローラ６ａ（６ｂ）の離間状態および圧接状態の切替えは、スムーズに切替えが行えれば図４の機構を用いなくても構わない。
【００２０】
さらに、印字装置４１の前後の圧接ローラも露光部３の圧接ローラ６ａ（６ｂ）と同様の動作をさせるようにしても構わない。
また、上記の写真処理機１では、ペーパーマガジン２１から連続的に供給される長尺の印画紙Ｐ１をカッター２２で切断して所定の長さの印画紙Ｐ２としていたが、予め所定の長さに切断された印画紙を手差しで１枚ずつ搬送経路に供給するようにしても構わないし、所定の長さに切断された印画紙を多数積み重ねた状態で収納したペーパー供給カセットを設け、このカセットから印画紙を露光部に供給するようにしても構わない。
【００２１】
【発明の効果】
本発明にかかる写真処理機における露光部の感光材料搬送装置は、以上のように、圧接ローラの圧接部が連続気泡弾性発泡体で形成されているので、離間状態から圧接状態に移る際の駆動ローラとの衝突による衝撃が圧接部の変形により充分に吸収され、感光材料に振動が伝わらず、バンディングを抑えることができる。また、圧接部が変形しやすく、圧接状態で感光材料の保持幅を充分に確保でき、長尺の感圧材料であって後端が暴れたりすることがない。したがって、より確実にバンディングを抑えることができる。勿論、圧接部を連続気泡弾性発泡体で形成するだけであるので、従来の搬送装置に比べ部品点数を増加させることがない。
【００２２】
さらに、請求項２のように、連続気泡弾性発泡体として、ＪＩＳ硬度３５〜４５°のウレタン樹脂系ゴムからなる発泡体を用いるようにすれば、より衝撃吸収性がよく、また、安定した変形量をキープすることができる。
【図面の簡単な説明】
【図１】本発明にかかる感光材料搬送装置を搭載した写真処理機の構成図である。
【図２】本発明にかかる感光材料搬送装置の１つの実施の形態をあらわす要部説明図である。
【図３】図２の感光材料搬送装置の圧接ローラの断面図である。
【図４】従来の感光材料搬送装置の機構説明図である。
【符号の説明】
１  写真処理機
Ｐ１〜Ｐ４  印画紙（感光材料）
５ａ，５ｂ  駆動ローラ
６ａ，６ｂ  圧接ローラ
６２  連続気泡弾性発泡体（圧接部）
【図２】
0003580181.tif 000002
【図３】
0003580181.tif 000003
【図４】
0003580181.tif 000004
【図１】
0003580181.tif 000005